(57)【特許請求の範囲】
【請求項１】
運転室のバックパネルに対し略平行に直立して収納されるよう回動可能に配置されたベッドと、該ベッドの裏面の下方に回動軸を設け且つ該ベッドの裏面に折り畳まれるよう回動可能に取り付られた支持部とを備えた車両のベッド構造であって、前記ベッドを使用する際には、ベッドを回動して水平方向に配置すると共に、支持部の回動により支持部を運転室の床面に接地してベッドを該ベッドの裏面から支持し、且つ支持部の一部をベッドの上面より突出した落下防止柵とするよう構成し、
前記支持部は、ベッドに対して回動し得る回動部材と、該回動部材に取り付けられる延在部材と、該延在部材にベッドを載置して支持するストッパ部とを備え、前記延在部材は、ベッドを使用する際に運転室の床面に接地する脚になると共にベッドの落下防止柵になることを特徴とする車両のベッド構造。
【請求項２】
運転室のバックパネルに対し略平行に直立して収納されるよう回動可能に配置されたベッドと、該ベッドの裏面の下方に回動軸を設け且つ該ベッドの裏面に折り畳まれるよう回動可能に取り付られた支持部とを備えた車両のベッド構造であって、前記ベッドを使用する際には、ベッドを回動して水平方向に配置すると共に、支持部の回動により支持部を運転室の床面に接地してベッドを該ベッドの裏面から支持し、且つ支持部の一部をベッドの上面より突出した落下防止柵とするよう構成し、
前記支持部は、ベッドに対して回動し得る回動部材と、該回動部材に取り付けられる延在部材と、該延在部材にベッドを載置して支持するストッパ部とを備え、前記回動部材は、ベッドを使用する際に運転室の床面に接地する脚になり、且つ前記延在部材は、ベッドの落下防止柵になることを特徴とする車両のベッド構造。
【発明の詳細な説明】
【０００１】
【発明の属する技術分野】
本発明は、ベッドを収納し得る車両のベッド構造に関するものである。
【０００２】
【従来の技術】
一般に、トラック等の車両の中には、運転席等の後方に位置するよう運転室（キャブ）内にベッドを備えているものがあり、車両のベッド構造の一例としては、ベッド前縁と天井の間にネットやベルトを張設してベッド上に持ち込んだ物品の落下防止装置を構成するものがある。又、他の例としては、運転席等の後方にベッドを固設するものがある。
【０００３】
更に、他の例としては実開平１−５９７４６号公報に示すものがあり、実開平１−５９７４６号公報は、図７、図８に示す如く、運転室１における運転席２の後方に位置するよう、バックパネル３に上下二段のベッド４，５を固設し、上段のベッド４には回動可能な梯子枠６を備え、使用の際には梯子枠６を回動させることにより単独で落下防止柵を構成するようにしている。
【０００４】
【発明が解決しようとする課題】
しかしながら、ネットやベルト等を用いるベッド構造は張設作業が面倒であるため、不使用になる傾向が強く、又、ベッドを固設するベッド構造は、ベッド用の大きなスペースが必要になるため小型の運転室（キャブ）に適用できないという問題があった。更に、実開平１−５９７４６号公報に示すベッド構造は、梯子枠６を落下防止柵にしない状態で上段のベッド４へ物品を載せて使用し得るため、ベッド４からの物品の落下防止を確実に防止することができないという虞れがあった。
【０００５】
本発明は、上述の実情に鑑みて成したもので、ベッドを収納すると共にベッド上の物品の落下防止を確実に行ない得る車両のベッド構造を提供することを目的としている。
【０００６】
【課題を解決するための手段】
本発明の請求項１は、運転室のバックパネルに対し略平行に直立して収納されるよう回動可能に配置されたベッドと、該ベッドの裏面の下方に回動軸を設け且つ該ベッドの裏面に折り畳まれるよう回動可能に取り付られた支持部とを備えた車両のベッド構造であって、前記ベッドを使用する際には、ベッドを回動して水平方向に配置すると共に、支持部の回動により支持部を運転室の床面に接地してベッドを該ベッドの裏面から支持し、且つ支持部の一部をベッドの上面より突出した落下防止柵とするよう構成し、
前記支持部は、ベッドに対して回動し得る回動部材と、該回動部材に取り付けられる延在部材と、該延在部材にベッドを載置して支持するストッパ部とを備え、前記延在部材は、ベッドを使用する際に運転室の床面に接地する脚になると共にベッドの落下防止柵になることを特徴とする車両のベッド構造に係るものである。
【０００７】
本発明の請求項２は、運転室のバックパネルに対し略平行に直立して収納されるよう回動可能に配置されたベッドと、該ベッドの裏面の下方に回動軸を設け且つ該ベッドの裏面に折り畳まれるよう回動可能に取り付られた支持部とを備えた車両のベッド構造であって、前記ベッドを使用する際には、ベッドを回動して水平方向に配置すると共に、支持部の回動により支持部を運転室の床面に接地してベッドを該ベッドの裏面から支持し、且つ支持部の一部をベッドの上面より突出した落下防止柵とするよう構成し、
前記支持部は、ベッドに対して回動し得る回動部材と、該回動部材に取り付けられる延在部材と、該延在部材にベッドを載置して支持するストッパ部とを備え、前記回動部材は、ベッドを使用する際に運転室の床面に接地する脚になり、且つ前記延在部材は、ベッドの落下防止柵になることを特徴とする車両のベッド構造に係るものである。
【０００８】
【０００９】
【００１０】
このように、請求項１によれば、ベッドの使用を容易にするので、ベッドを頻繁に使用することができ、又、ベッドを運転室のバックパネルに寄せるよう直立させると共に支持部を折り畳むので、ベッド用のスペースを低減し、小型の運転室（キャブ）に容易に適用することができる。更に、ベッドを使用する際には、支持部によりベッドを支持すると同時に支持部の一部をベッド上の物品の落下防止柵とするので、落下防止柵を確実に配置して、落下防止柵がない状態でのベッドの使用を不可能にし、誤用によるベッド上からの物品の落下を完全に防止することができる。又、支持部は、ベッドに対して回動し得る回動部材と、該回動部材に取り付けられる延在部材とを備え、前記延在部材は、ベッドを使用する際に運転室の床面に接地する脚になると共にベッドの落下防止柵になるよう構成されると、延在部材により脚と落下防止柵を一体に構成するので、他の部品を必要とすることなく、安価に落下防止柵を製造することができる。更に、延在部材にベッドを載置して支持するストッパ部を備えると、ベッドをストッパ部で支持するので、ベッドの設置を容易且つ確実に行うことができる。
【００１１】
請求項２によれば、ベッドの使用を容易にするので、ベッドを頻繁に使用することができ、又、ベッドを運転室のバックパネルに寄せるよう直立させると共に支持部を折り畳むので、ベッド用のスペースを低減し、小型の運転室（キャブ）に容易に適用することができる。更に、ベッドを使用する際には、支持部によりベッドを支持すると同時に支持部の一部をベッド上の物品の落下防止柵とするので、落下防止柵を確実に配置して、落下防止柵がない状態でのベッドの使用を不可能にし、誤用によるベッド上からの物品の落下を完全に防止することができる。又、支持部は、ベッドに対して回動し得る回動部材と、該回動部材に取り付けられる延在部材とを備え、前記回動部材は、ベッドを使用する際に運転室の床面に接地する脚になり、且つ前記延在部材は、ベッドの落下防止柵になるよう構成されると、ベッドを使用する際には落下防止柵を適切に配置することができる。更に又、延在部材にベッドを載置して支持するストッパ部を備えると、ベッドをストッパ部で支持するので、ベッドの設置を容易且つ確実に行うことができる。
【００１２】
【００１３】
【００１４】
【発明の実施の形態】
以下、本発明の実施の形態を図示例と共に説明する。
【００１５】
図１〜図４は本発明を実施する形態の第一例である。
【００１６】
第一例の車両のベッド構造は、小型トラック等の車両における小型の運転室（キャブ）に構成されており、運転室の両側のサイドパネル１０には、アングル状の第一ステー１１と第二ステー１２を取り付け、運転室のバックパネル１３には、ベルト固定部１４を備えると共に、運転席（図示せず）の後方に位置するよう、ヒンジ１５により回動可能なマット体のベッド１６を配置している。
【００１７】
一方、ベッド１６の裏面１６ａにおけるサイドパネル側部１７には、第一ステー１１に載置し得るＵ字状の第一掛止部１８と、第二ステー１２に載置し得るＵ字状の第二掛止部１９とを固設し、且つベッド１６の裏面１６ａにおける反バックパネル側部２０には、ベルト固定部１４に着脱し得るベルト帯２１と、ベッド１６の裏面１６ａで回動し得る支持部２２とを備えている。
【００１８】
支持部２２は、ベッド１６の裏面１６ａに設けられた二箇所のブラケット２３により回動し得るフレーム状の回動部材２４と、回動部材２４に溶接されたフレーム状の延在部材２５とを備えており、延在部材２５は、回動の状態により、一端を脚２６とすると共に、他端を落下防止柵２７とするよう形成され、且つ中央部分をベッド１６のストッパ部２８としている。ここで、図中、１６ｂはベッド１６の上面を示し、２９は延在部材２５の一端の脚２６に取り付けられるゴムキャップを示している。
【００１９】
以下、本発明を実施する形態の第一例の作用を説明する。
【００２０】
第一例の車両のベッド構造においてベッド１６を使用する場合には、ベッド１６がバックパネル１３に固定された状態からベルト固定部１４とベルト帯２１を外してベッド１６を回動自由にし、ベッド１６を水平方向に配置するよう回動させると共に、ベッド１６の裏面１６ａに折り畳まれた支持部２２を回動させることによって、延在部材２５の一端を脚２６として運転室の床面３０に接地させ、同時に延在部材２５のストッパ部２８によりベッド１６の反バックパネル側部２０を支持すると共に、第一ステー１１及び第二ステー１２によりベッド１６の第一掛止部１８及び第二掛止部１９を介してベッド１６のサイドパネル側部１７を支持する。この時、延在部材２５の他端は、支持部２２の回動によりベッド１６の上面１６ｂより突出してベッド１６の落下防止柵２７を構成し、ベッド１６は使用可能な状態になる。
【００２１】
一方、第一例の車両のベッド構造においてベッド１６を収納する場合には、ベッド１６をバックパネル１３に対し略平行になるよう回動させると共に、支持部２２を逆方向に回動させることによってベッド１６の裏面１６ａに折り畳み、ベルト固定部１４とベルト帯２１を締結することによりベッド１６を直立するようバックパネル１３へ固定して収納する。
【００２２】
このように、第一例の車両のベッド構造によれば、ベッド１６の使用もしくは収納を容易にするので、ベッド１６を頻繁に使用することができ、又、ベッド１６を運転室のバックパネル１３に寄せるよう直立させると共に支持部２２を折り畳むので、ベッド１６用のスペースを低減し、小型の運転室（キャブ）に容易に適用することができる。更に、ベッド１６を使用する際には、支持部２２の延在部材２５によりベッド１６を支持すると同時に延在部材２５の他端をベッド１６上の物品の落下防止柵２７とするので、落下防止柵２７を確実に配置して、落下防止柵２７がない状態でのベッド１６の使用を不可能にし、誤用によるベッド１６上からの物品の落下を完全に防止することができる。
【００２３】
又、支持部２２は、ベッド１６に対して回動し得る回動部材２４と、該回動部材２４に取り付けられる延在部材２５とを備え、前記延在部材２５は、ベッド１６を使用する際に運転室の床面３０に接地する脚２６になると共にベッド１６の落下防止柵２７になるよう構成されると、延在部材２５により脚２６と落下防止柵２７を一体に構成するので、他の部品を必要とすることなく、安価に落下防止柵２７を製造することができる。
【００２４】
更に又、延在部材２５にベッド１６を支持するストッパ部２８を備えると、ベッド１６をストッパ部２８で支持するので、ベッド１６の設置を容易且つ確実に行うことができる。
【００２５】
図５、図６は本発明を実施する形態の第二例であり、図中、図１〜図４と同一の符号を付した部分は同一物を表わしている。
【００２６】
第二例の車両のベッド構造は、小型トラック等の車両における小型の運転室（キャブ）に、第一例と略同様に、第一ステー１１、第二ステー１２、第一掛止部１８、第二掛止部１９及びベッド１６等を備えている。
【００２７】
ベッド１６の裏面１６ａには、第一例と異なる支持部３１を備えており、支持部３１は、ベッド１６の裏面１６ａに設けられた二箇所のブラケット３２により回動し得るフレーム状の回動部材３３と、回動部材３３に溶接されたフレーム状の延在部材３４とを備えており、回動部材３３は、回動の状態により一端を脚３５とするよう形成されると共に、他端側近傍を、ブラケット３２に掛止するストッパ部３６としている。又、延在部材３４は、回動の状態により一端を落下防止柵３７とするよう形成されている。
【００２８】
以下、本発明を実施する形態の第二例の作用を説明する。
【００２９】
第二例の車両のベッド構造においてベッド１６を使用する場合には、第一例と略同様に、ベッド１６がバックパネル１３に固定された状態からベルト固定部１４とベルト帯２１を外してベッド１６を回動自由にし、ベッド１６を水平方向に配置するよう回動させると共に、ベッド１６の裏面１６ａに折り畳まれた支持部３１を回動させることによって、回動部材３３の一端を脚３５として運転室の床面３０に接地させ、同時に回動部材３３のストッパ部３６によりブラケット３２を介してベッド１６の反バックパネル側部２０を支持すると共に、第一ステー１１及び第二ステー１２によりベッド１６の第一掛止部１８及び第二掛止部１９を介してベッド１６のサイドパネル側部１７を支持する。この時、延在部材３４の一端は、支持部３１の回動によりベッド１６の上面１６ｂより突出してベッド１６の落下防止柵３７を構成し、ベッド１６は使用可能な状態になる。
【００３０】
一方、第二例の車両のベッド構造においてベッド１６を収納する場合には、第一例と同じである。
【００３１】
このように、第二例の車両のベッド構造によれば、第一例と略同様な作用効果を得ることができる。又、ベッド１６を使用する際には、支持部３１の回動部材３３によりベッド１６を支持すると同時に支持部３１の延在部材３４の一端をベッド１６上の物品の落下防止柵３７とするので、落下防止柵３７を確実に配置して、落下防止柵３７がない状態でのベッド１６の使用を不可能にし、誤用によるベッド１６上からの物品の落下を完全に防止することができる。
【００３２】
更に、支持部３１は、ベッド１６に対して回動し得る回動部材３３と、該回動部材３３に取り付けられる延在部材３４とを備え、前記回動部材３３は、ベッド１６を使用する際に運転室の床面３０に接地する脚３５になり、且つ前記延在部材３４は、ベッド１６の落下防止柵３７になるよう構成されると、ベッド１６を使用する際には落下防止柵３７を適切に配置することができる。
【００３３】
更に又、回動部材３３にベッド１６を支持するストッパ部３６を備えると、ベッド１６をストッパ部３６で支持するので、ベッド１６の設置を容易且つ確実に行うことができる。
【００３４】
なお、本発明の車両のベッド構造は上述の形態例のみに限定されるものではなく、支持部が脚を床面に接地した際に、支持部の一部が落下防止柵を形成するならば、支持部の構成はどのようなものでもよいこと、その他、本発明の要旨を逸脱しない範囲内において種々変更を加え得ることは勿論である。
【００３５】
【発明の効果】
以上のように、本発明の車両のベッド構造によれば、下記の如き種々の優れた効果を奏し得る。
【００３６】
Ｉ）請求項１によれば、ベッドの使用を容易にするので、ベッドを頻繁に使用することができ、又、ベッドを運転室のバックパネルに寄せるよう直立させると共に支持部を折り畳むので、ベッド用のスペースを低減し、小型の運転室（キャブ）に容易に適用することができる。更に、ベッドを使用する際には、支持部によりベッドを支持すると同時に支持部の一部をベッド上の物品の落下防止柵とするので、落下防止柵を確実に配置して、落下防止柵がない状態でのベッドの使用を不可能にし、誤用によるベッド上から物品の落下を完全に防止することができる。又、支持部は、ベッドに対して回動し得る回動部材と、該回動部材に取り付けられる延在部材とを備え、前記延在部材は、ベッドを使用する際に運転室の床面に接地する脚になると共にベッドの落下防止柵になるよう構成されると、延在部材により脚と落下防止柵を一体に構成するので、他の部品を必要とすることなく、安価に落下防止柵を製造することができる。更に、延在部材にベッドを載置して支持するストッパ部を備えると、ベッドをストッパ部で支持するので、ベッドの設置を容易且つ確実に行うことができる。
【００３７】
ＩＩ）請求項２によれば、ベッドの使用を容易にするので、ベッドを頻繁に使用することができ、又、ベッドを運転室のバックパネルに寄せるよう直立させると共に支持部を折り畳むので、ベッド用のスペースを低減し、小型の運転室（キャブ）に容易に適用することができる。更に、ベッドを使用する際には、支持部によりベッドを支持すると同時に支持部の一部をベッド上の物品の落下防止柵とするので、落下防止柵を確実に配置して、落下防止柵がない状態でのベッドの使用を不可能にし、誤用によるベッド上からの物品の落下を完全に防止することができる。又、支持部は、ベッドに対して回動し得る回動部材と、該回動部材に取り付けられる延在部材とを備え、前記回動部材は、ベッドを使用する際に運転室の床面に接地する脚になり、且つ前記延在部材は、ベッドの落下防止柵になるよう構成されると、ベッドを使用する際には落下防止柵を適切に配置することができる。更に又、延在部材にベッドを載置して支持するストッパ部を備えると、ベッドをストッパ部で支持するので、ベッドの設置を容易且つ確実に行うことができる。
【００３８】
【００３９】
【図面の簡単な説明】
【図１】  本発明の車両のベッド構造を実施する形態の第一例においてベッドを収納した状態を示す概略図である。
【図２】  本発明の車両のベッド構造を実施する形態の第一例においてベッドを使用し得るよう支持部を回動した状態を示す側面図である。
【図３】  本発明の車両のベッド構造を実施する形態の第一例においてベッドを使用し得る状態を示す概略図である。
【図４】  バックパネルにベッドを回動させるヒンジを示す側面図である。
【図５】  本発明の車両のベッド構造を実施する形態の第二例においてベッドを収納した状態を示す概略図である。
【図６】  本発明の車両のベッド構造を実施する形態の第二例においてベッドを使用し得るよう支持部を回動した状態を示す側面図である。
【図７】  従来の車両のベッド構造を示す概略図である。
【図８】  従来の車両のベッド構造における梯子枠の回動状態を示す概略図である。
【符号の説明】
１３    バックパネル
１６    ベッド
１６ａ  裏面
２２    支持部
２４    回動部材
２５    延在部材
２６    脚
２７    落下防止柵
２８    ストッパ部
３０    床面
３１    支持部
３３    回動部材
３４    延在部材
３５    脚
３６    ストッパ部
３７    落下防止柵
【図１】
0003927440.tif 000002
【図２】
0003927440.tif 000003
【図３】
0003927440.tif 000004
【図４】
0003927440.tif 000005
【図５】
0003927440.tif 000006
【図６】
0003927440.tif 000007
【図７】
0003927440.tif 000008
【図８】
0003927440.tif 000009